(57)【特許請求の範囲】
【請求項１】
原稿を読み取る読取手段と、
この読取手段によって読み取った原稿に所定値以上の空白部分があるかどうかを検出する検出手段と、
この検出手段が読み取った原稿に所定値以上の空白部分があることを検出した場合、その空白部分を空白情報として算出する空白算出手段と、
この空白算出手段によって算出された空白情報や空白部分以外の画情報を送信する送信手段と、
この送信手段から送信された空白情報および空白部分以外の画情報を受信する受信手段と、
この受信手段で受信した画情報をロール紙に印字する出力手段と、を備え、
前記受信手段が前記空白情報と共に前記画情報を受信した場合、前記出力手段は出力する際、ロール紙を空白情報分だけ搬送してからカットすることを特徴とするファクシミリ装置。
【請求項２】
原稿を読み取る読取手段と、
この読取手段によって読み取った原稿に所定値以上の空白部分があるかどうかを検出する検出手段と、
この検出手段が読み取った原稿に所定値以上の空白部分があることを検出した場合、その空白部分を空白情報として算出する空白算出手段と、
この空白算出手段によって算出された空白情報や空白部分以外の画情報を送信する送信手段と、
前記読取手段が読み取った画情報を蓄積・保存する保存手段を備え、
前記保存手段は、前記読取手段が読み取る原稿中に複数の空白部分がある場合、前記空白算出手段が算出する空白情報によって分断される画情報を各々１つのページの画情報として蓄積することを特徴とするファクシミリ装置。
【請求項３】
前記送信手段が前記保存手段により蓄積された１ページずつの画情報を送信する場合、次の画情報を受信する旨の信号であるマルチページ信号およびページ間毎の空白情報を通知することを特徴とする請求項２記載のファクシミリ装置。
【請求項４】
原稿を読み取る読取手段と、
この読取手段によって読み取った原稿に所定値以上の空白部分があるかどうかを検出する検出手段と、
この検出手段が読み取った原稿に所定値以上の空白部分があることを検出した場合、その空白部分を空白情報として算出する空白算出手段と、
この空白算出手段によって算出された空白情報や空白部分以外の画情報を送信する送信手段と、
この送信手段から送信された空白情報および空白部分以外の画情報を受信する受信手段と、
この受信手段で受信した画情報をロール紙に印字する出力手段と、
前記送信手段から送信された空白情報および空白部分以外の画情報を受信する受信手段と、
この受信手段で受信した画情報をロール紙に印字する出力手段と、
この出力手段に次の画情報を受信する旨の信号であるマルチページ信号を無視するかどうかを設定する手段と、を備え、
前記設定手段がマルチページ信号を無視すると設定した場合、前記マルチページ信号を通知されても、前記出力手段はロール紙をカットせずに受信を続けることを特徴とするファクシミリ装置。
【請求項５】
原稿を読み取る読取手段と、
この読取手段によって読み取った原稿に所定値以上の空白部分があるかどうかを検出する検出手段と、
この検出手段が読み取った原稿に所定値以上の空白部分があることを検出した場合、その空白部分を空白情報として算出する空白算出手段と、
この空白算出手段によって算出された空白情報や空白部分以外の画情報を送信する送信手段と、
この送信手段から送信された空白情報および空白部分以外の画情報を受信する受信手段と、
この受信手段で受信した画情報をロール紙に印字する出力手段と、
前記送信手段から送信された空白情報および空白部分以外の画情報を受信する受信手段と、
この受信手段で受信した画情報をロール紙に印字する出力手段と、
この出力手段に次の画情報を受信する旨の信号であるマルチページ信号を無視するかどうかを設定する手段と、を備え、
前記設定手段がマルチページ信号を無視すると設定し、かつ、ページ間毎の空白情報を受信した場合、ページ間の空白部分だけロール紙を進めることを特徴とするファクシミリ装置。
【請求項６】
前記読取手段が読み取る原稿が長い場合、前記出力手段による出力が完了するまで画情報および空白情報を保存しておくことを特徴とする請求項５記載のファクシミリ装置。
【請求項７】
前記出力手段が前記送信手段からの空白情報に関係なく画情報の受信を終了するとロール紙をカットして出力するか否かを選択できる選択手段をさらに備えたことを特徴とする請求項１記載のファクシミリ装置。
【請求項８】
前記設定手段の前記マルチページ信号を無視する設定およびかつページ間毎の空白情報に関係なく、前記出力手段は１ページ毎にロール紙をカットして出力するか否かを選択できる選択手段をさらに備えたことを特徴とする請求項５記載のファクシミリ装置。
【発明の詳細な説明】
【０００１】
【発明の属する技術分野】
本発明は、ファクシミリ装置に係り、特に、ロール紙を記録紙として持ち、空白部分がある原稿データを送受信して画像出力するファクシミリ装置に関する。
【０００２】
【従来の技術】
従来から、受信した画像情報等をロール紙に印刷するファクシミリ装置が利用されている。このファクシミリ装置は、送信側の用紙サイズに関係なく情報を印刷出力することができる。
特開平６−２９６２３０号公報には、ロール紙に対する出力を伴うファクシミリ原稿の送信時において、受信側出力画像のサイズを揃えるために、送信側で白ラインを付加して通信を行う発明が記載されている。
【０００３】
【発明が解決しようとする課題】
しかし、特開平６−２９６２３０号公報記載の発明では、送信原稿に空白部分が多々ある場合、この空白部分に相当する画像データを生成して通信するために、通信量が増大してしまうという問題があった。
【０００４】
そこで、本発明の第１の目的は、ロール紙を使用して長い原稿を通信したいときに送信する画像内に空白が存在する場合、その空白部分を画情報として送信する情報に付加しないファクシミリ装置を提供することである。
【０００５】
本発明の第２の目的は、受信した情報に空白部分が画情報として付加されていない場合でも空白出力することができ、ロール紙をこの空白部分だけ出力してから紙をカットすることができるファクシミリ装置を提供することである。
【０００６】
本発明の第３の目的は、送受信する画情報の途中に複数の大きな空白が存在する場合に、空白部分よって分断される画情報を各々１つのページの画情報として蓄積できるファクシミリ装置を提供することである。
【０００７】
本発明の第４の目的は、送信側ファクシミリ装置から次の画情報を受信するという信号であるマルチページ信号を無視するという情報を受信した場合、マルチページ信号を通知されてもロール紙をカットせずに受信することができるファクシミリ装置を提供することである。
【０００８】
本発明の第５の目的は、送信側ファクシミリ装置からマルチページ信号を無視するという情報を通知され、かつ、ページ間毎の空白情報を認識した場合、１ページ毎にそのページ間の空白分だけロール紙を進めることができるファクシミリ装置を提供することである。
【０００９】
本発明の第６の目的は、ロール紙による出力が完了するまでメモリ内に画情報および空白情報を保存しておくができるファクシミリ装置を提供することである。
【００１０】
本発明の第７の目的は、ユーザの選択によって「余白長」および「余白作成」の情報を無視して画情報終了のタイミングにてロール紙をカットしたり、また、１ページ毎にロール紙をカットしながら受信することができるファクシミリ装置を提供することである。
【００１１】
【課題を解決するための手段】
請求項１記載の発明では、原稿を読み取る読取手段と、この読取手段によって読み取った原稿に所定値以上の空白部分があるかどうかを検出する検出手段と、この検出手段が読み取った原稿に所定値以上の空白部分があることを検出した場合、その空白部分を空白情報として算出する空白算出手段と、この空白算出手段によって算出された空白情報や空白部分以外の画情報を送信する送信手段と、この送信手段から送信された空白情報および空白部分以外の画情報を受信する受信手段と、この受信手段で受信した画情報をロール紙に印字する出力手段と、を備え、前記受信手段が前記空白情報と共に前記画情報を受信した場合、前記出力手段は出力する際、ロール紙を空白情報分だけ搬送してからカットすることにより、前記第２の目的を達成する。
【００１２】
請求項２記載の発明では、原稿を読み取る読取手段と、この読取手段によって読み取った原稿に所定値以上の空白部分があるかどうかを検出する検出手段と、この検出手段が読み取った原稿に所定値以上の空白部分があることを検出した場合、その空白部分を空白情報として算出する空白算出手段と、この空白算出手段によって算出された空白情報や空白部分以外の画情報を送信する送信手段と、前記読取手段が読み取った画情報を蓄積・保存する保存手段を備え、前記保存手段は、前記読取手段が読み取る原稿中に複数の空白部分がある場合、前記空白算出手段が算出する空白情報によって分断される画情報を各々１つのページの画情報として蓄積することを特徴とすることにより、前記第３の目的を達成する。
【００１３】
請求項３記載の発明では、請求項２記載の発明において、前記送信手段が前記保存手段により蓄積された１ページずつの画情報を送信する場合、次の画情報を受信する旨の信号であるマルチページ信号およびページ間毎の空白情報を通知することにより、前記第２および第３の目的を達成する。
【００１４】
請求項４記載の発明では、原稿を読み取る読取手段と、この読取手段によって読み取った原稿に所定値以上の空白部分があるかどうかを検出する検出手段と、この検出手段が読み取った原稿に所定値以上の空白部分があることを検出した場合、その空白部分を空白情報として算出する空白算出手段と、この空白算出手段によって算出された空白情報や空白部分以外の画情報を送信する送信手段と、この送信手段から送信された空白情報および空白部分以外の画情報を受信する受信手段と、この受信手段で受信した画情報をロール紙に印字する出力手段と、前記送信手段から送信された空白情報および空白部分以外の画情報を受信する受信手段と、この受信手段で受信した画情報をロール紙に印字する出力手段と、この出力手段に次の画情報を受信する旨の信号であるマルチページ信号を無視するかどうかを設定する手段と、を備え、前記設定手段がマルチページ信号を無視すると設定した場合、前記マルチページ信号を通知されても、前記出力手段はロール紙をカットせずに受信を続けることにより、前記第４の目的を達成する。
【００１５】
請求項５記載の発明では、原稿を読み取る読取手段と、この読取手段によって読み取った原稿に所定値以上の空白部分があるかどうかを検出する検出手段と、この検出手段が読み取った原稿に所定値以上の空白部分があることを検出した場合、その空白部分を空白情報として算出する空白算出手段と、この空白算出手段によって算出された空白情報や空白部分以外の画情報を送信する送信手段と、この送信手段から送信された空白情報および空白部分以外の画情報を受信する受信手段と、この受信手段で受信した画情報をロール紙に印字する出力手段と、前記送信手段から送信された空白情報および空白部分以外の画情報を受信する受信手段と、この受信手段で受信した画情報をロール紙に印字する出力手段と、この出力手段に次の画情報を受信する旨の信号であるマルチページ信号を無視するかどうかを設定する手段と、を備え、前記設定手段がマルチページ信号を無視すると設定し、かつ、ページ間毎の空白情報を受信した場合、ページ間の空白部分だけロール紙を進めることにより、前記第５の目的を達成する。
請求項６記載の発明では、請求項５記載の発明において、前記読取手段が読み取る原稿が長い場合、前記出力手段による出力が完了するまで画情報および空白情報を保存しておくことにより、前記第６の目的を達成する。
【００１６】
請求項７記載の発明では、請求項１記載の発明において、前記出力手段が前記送信手段からの空白情報に関係なく画情報の受信を終了するとロール紙をカットして出力するか否かを選択できる選択手段をさらに備えたことにより、前記第７の目的を達成する。
請求項８記載の発明では、請求項５記載の発明において、前記設定手段の前記マルチページ信号を無視する設定およびかつページ間毎の空白情報に関係なく、前記出力手段は１ページ毎にロール紙をカットして出力するか否かを選択できる選択手段をさらに備えたことにより、前記第７の目的を達成する。
【００１７】
【発明の実施の形態】
以下、本発明の好適な実施の形態を図１ないし図４を参照して詳細に説明をする。
図１は、本実施の形態の一例を示すファクシミリ装置の構成を示したブロック図である。
このファクシミリ装置は、ＣＰＵ（中央処理装置）１、ＲＯＭ（リード・オンリ・メモリ）２、ＲＡＭ（ランダム・アクセス・メモリ）３、原稿を読み取るスキャナ４、コピーや受信原稿の印字を行うプロッタ５、操作表示制御部６、ＣＣＵ（通信制御部）７、画像の蓄積を行うＳＡＦ（蓄積交換）メモリ９、符号化／複合化部（ＤＣＲ）１０、空白部制御部１３、ロール紙制御部１４を備えている。また、これら各部はバス１２により互いに接続されている。
【００１８】
ＲＯＭ２には、ファクシミリ装置としての基本プログラムや、処理プログラムなどが格納されており、ＣＰＵ１は、このＲＯＭ２内のプログラムに従ってファクシミリ装置の各部を制御し、処理を実行する。
ＲＡＭ３にはワークエリアが形成されて、ファクシミリ装置の制御に必要な種々のデータが記憶されている。
操作表示制御部６は、ユーザが操作を入力したり、またユーザにファクシミリ装置の情報を伝えるものである。
ＣＣＵ７は、モデム８とＮＣＵ（網制御部）１１と接続してあり、相手ファクシミリ装置との間でファクシミリ制御信号を交換し、ファクシミリ通信手順を実行する。モデム８は、送信信号の変調、受信信号の復調を行う。ＮＣＵ１１は、通信回線の制御を行う。
符号化／複合化部１０は、画情報を所定の符号化方式に従って符号化し、また符号化された画情報を復号化する。空白部制御部１３は、読み取る原稿の白ラインの検出、およびその検出した白ラインを空白部分として通知する設定を行う。
【００１９】
次に、図１に示したファクシミリ装置の動作について説明する。
図２は、最終原稿に空白部分がある通常の大きさの原稿を送信する場合の処理手順を示したフローチャートである。
まず、送信側ファクシミリ装置が原稿を読み取ると（ステップ１００）、空白部制御部１３は、最終原稿に規定数以上の白ラインがあるか否かを検出する（ステップ１０１）。この規定数以上の白ラインは、ユーザが予め送信側ファクシミリ装置で設定することができる。
規定以上の白ラインを検出した場合（ステップ１０１；Ｙ）、空白部制御部１３は、送信する画情報からこの規定数以上の白ラインに相当する部分を削除し、この検出された白ライン数から空白長を計算する（ステップ１０２）。すなわち、空白部制御部１３は、検出した白ラインを符号化せず、その読み取った白ライン直前までの情報を画情報とする。そして、その画情報を受信側ファクシミリ装置に送信する「空白作成」および「空白長」のフラグと共に挿入して受信側ファクシミリ装置に送信を開始し（ステップ１０４）、受信側ファクシミリ装置は受信を開始する（ステップ１０５）。
【００２０】
受信側ファクシミリ装置は、受信した画情報からＦＩＦビットを判断し（ステップ１０６）、送信側のファクシミリ装置と通信を終了する（ステップ１０７、１０８）。そして、受信側ファクシミリ装置は、操作表示制御部６によるユーザの設定で受け取った画情報の空白を考慮するように設定してあるか否か判断する（ステップ１０９）。
空白を考慮するよう設定してある場合（ステップ１０９；Ｙ）、原稿の最終ページ出力時に画情報印字後、ロール紙制御部１４によって空白部分の長さ相当分だけロール紙を搬送してから紙のカットを行い（ステップ１１０）、処理を終了する。空白を考慮するよう設定していない場合（ステップ１０９；Ｎ）、そのまま印刷出力し、処理を終了する。
【００２１】
図３は、長い原稿を送信する場合の処理手順を示したフローチャートである。このフローチャートは、複数部数ある長い、すなわち規定サイズ以上の大きさの用紙である原稿を送信する処理手順を示している。
まず、送信側ファクシミリ装置が原稿を読み取ると（ステップ２００）、空白部制御部１３は、読み取った原稿に規定数以上の白ラインがあるか否かを検出する（ステップ２０１）。
規定数以上の白ラインを検出した場合（ステップ２０１；Ｙ）、空白部制御部１３は、白ライン部分の情報を捨てて空白長を計算する（ステップ２０２）。この後に読み取られる白ライン以外の情報は次ページの画情報として蓄積される。空白部制御部１３は、原稿が終了するまで空白長の計算を繰り返し（ステップ２０３）、ページ単位で原稿の読み取りを行う。読み取った画情報の送信時には、空白部制御部１３によってＮＳＳのＦＩＦビットに次の画情報を受信するという信号である「マルチページ信号」の無視およびページ毎の空白長をアサインして（ステップ２０４）、受信側ファクシミリ装置に送信を開始する（ステップ２０５）。受信側ファクシミリ装置は受信を開始し（ステップ２０６）、ＦＩＦビットを判断する（ステップ２０７）。
【００２２】
操作表示制御部６からのユーザの設定により、次の画情報を受信するという信号であるマルチページ信号（ＭＰＳ）の無視を考慮する設定としてある場合（ステップ２０８；Ｙ）、マルチページ信号を受信してページを切り替えず（ステップ２０９）、送信側ファクシミリ装置と通信を終了する（ステップ２１１、２１２）。マルチページ信号の無視を考慮しないと設定してある場合（ステップ２０８；Ｎ）、マルチページ信号を受信してページの切り替えをして（ステップ２１０）、送信側ファクシミリ装置と通信を終了する（ステップ２１１、２１２）。そして、ユーザの設定により空白を考慮するか否かを判断する（ステップ２１３）。
空白を考慮すると設定してある場合（ステップ２１４；Ｙ）、ロール紙制御部１４によってロール紙を空白長分搬送し（ステップ２１４）、引き続き次ページを印字する処理を繰り返し行う。最後までロール紙を出力した状態を確認できた後に、受信画情報をＲＡＭ３内より削除し（ステップ２１６）、処理を終了する。また、空白を考慮しない設定としてあった場合（ステップ２１３；Ｎ）、画情報の部分だけを印字してページ毎にカットし出力し（ステップ２１５）、最後までロール紙を出力した状態を確認できた後に、受信画情報をＲＡＭ３内より削除し（ステップ２１６）、処理を終了する。
【００２３】
図４は、本実施の形態のファクシミリ装置間の通信時におけるプロトコルを示した図である。
まず、受信する体勢が整っていることを知らせるＮＳＦ信号が受信側ファクシミリ装置から送られる。送信側ファクシミリ装置は、画情報と空白長を付加したＮＳＳ＋ＦＩＦビットの情報を送信し、これを受信した受信側ファクシミリ装置は受け取ったという合図のＣＦＲ信号を送り、画情報であるＰＩＸ信号とＭＰＳが受信側ファクシミリ装置に送信される。その送られてきた情報にも受け取ったという合図のＭＣＦ信号を送信し、これをＰＩＸ信号と一緒にＥＯＰ信号を受け取るまで繰り返す。ＥＯＰ信号を受け取った受信側ファクシミリ装置は、最後の受け取ったという合図のＭＣＦ信号を送り、ファクシミリ装置間の通信は終了する。
【００２５】
【発明の効果】
請求項１記載の発明では、受信手段が送信手段から送られてきた空白情報を受信してから画情報を受信した場合、出力手段はロール紙を空白情報分だけ搬送してからカットするので、通信時間を短くすることが可能となり、ロール紙からの出力画像のサイズを揃えることができる。
【００２６】
請求項２記載の発明では、読取手段が読み取る原稿中に複数の空白部分がある場合、保存手段は空白算出手段が算出する空白情報によって分断される画情報を各々１つのページの画情報として蓄積するので、必要な画情報が含まれる部分のみを符号蓄積でき、蓄積するためのメモリを節約することができる。
【００２７】
請求項３記載の発明では、送信手段が、蓄積した１ページずつの画情報を送信する場合、マルチページ信号、およびページ間毎の空白情報を通知するので、通信量を減少することができ、通信料金を低減させることもできる。
【００２８】
請求項４記載の発明では、設定手段がマルチページ信号を無視すると設定した場合、送信手段からマルチページ信号を通知されてもロール紙をカットせずに受信するので、送信側ファクシミリ装置からの画情報を長い記録紙に記録することができる。
【００２９】
請求項５記載の発明では、設定手段がマルチページ信号を無視すると設定し、かつ、ページ間毎の空白情報を受信した場合、ページ間の空白部分だけロール紙を進めるので、原稿通りの画情報を出力することができる。
【００３０】
請求項６記載の発明では、読取手段が読み取る原稿が長い場合、保存手段は出力が完了するまで画情報および空白情報を保存しておくので、ロール紙切れなどの場合にも画情報を失うことがなく確実に画像出力することができ、空白部分の画情報を保存するのではないため、記憶しておくメモリの容量も少なくすることができる。
【００３１】
請求項７記載の発明では、送信手段からの空白情報に関係なく画情報の受信を終了するとロール紙をカットして出力するか否かの選択手段を備えるので、ユーザの操作により余白部分の再現を行うか否かを選択でき、ユーザはこれを出力せずにロール紙を節約することができる。
【００３２】
請求項８記載の発明では、送信手段からのマルチページ信号を無視するまたはページ間毎の空白情報をに関係なく、ユーザの操作により１ページ毎にカットして出力するか否かの選択できる選択手段を備えるので、送信側の意図する空白部分を紙の無駄と判断したユーザはこれを出力せずロール紙を節約することができる。
【図面の簡単な説明】
【図１】本実施の形態の一例を示すファクシミリ装置の構成を示したブロック図である。
【図２】最終原稿に空白部分がある原稿を送信する場合の処理手順を示したフローチャートである。
【図３】長尺の原稿を送信する場合の処理手順を示したフローチャートである。
【図４】本実施の形態のファクシミリ装置間の通信時におけるプロトコルを示した図である。
【符号の説明】
１    ＣＰＵ（中央処理装置）
２    ＲＯＭ（リード・オンリ・メモリ）
３    ＲＡＭ（ランダム・アクセス・メモリ）
４    スキャナ
５    プロッタ
６    操作表示制御部
７    ＣＣＵ（通信制御部）
８    モデム
９    ＳＡＦ（蓄積交換）メモリ
１０  符号化／複合化部（ＤＣＲ）
１１  ＮＣＵ（網制御部）
１２  バス
１３  空白部制御部
１４  ロール紙制御部
【図１】
0003854438.tif 000002
【図２】
0003854438.tif 000003
【図３】
0003854438.tif 000004
【図４】
0003854438.tif 000005